(57)【要約】【課題】装飾効果の興趣変化に富む斬新な扇子を提供する。【解決手段】蛇腹状の屈折地膜（１）における中骨（３）との固着屈折膜片（１ａ）には、第１の全体画像（Ａ）を形作るために分割された複数個の部分画像（５）（１６）を施す一方、同じく屈折地膜における上記固着屈折膜片と交互する中骨との非固着屈折膜片（１ｂ）には、上記第１の全体画像と異なる第２の全体画像（Ｂ）を形作るために分割された複数個の部分画像（６）（１７）を施して、上記屈折地膜の展開使用時に、その固着屈折膜片と対面する斜め方向（Ｒ）から第１の全体画像のみを、残余の非固着屈折膜片と対面する斜め方向（Ｌ）から第２の全体画像のみを、各々区別して通覧できるように定めた。【選択図】　図１
2004097403.tif 000002
【特許請求の範囲】
【請求項１】
蛇腹状の屈折地膜（１）における中骨（３）との固着屈折膜片（１ａ）には、第１の全体画像（Ａ）を形作るために分割された複数個の部分画像（５）（１６）を施す一方、
同じく屈折地膜（１）における上記固着屈折膜片（１ａ）と交互する中骨（３）との非固着屈折膜片（１ｂ）には、上記第１の全体画像（Ａ）と異なる第２の全体画像（Ｂ）を形作るために分割された複数個の部分画像（６）（１７）を施して、
上記屈折地膜（１）の展開使用時に、その固着屈折膜片（１ａ）と対面する斜め方向（Ｒ）から第１の全体画像（Ａ）のみを、残余の非固着屈折膜片（１ｂ）と対面する斜め方向（Ｌ）から第２の全体画像（Ｂ）のみを、各々区別して通覧できるように定めたことを特徴とする扇子。
【請求項２】
屈折地膜（１）における中骨（３）との固着屈折膜片（１ａ）並びに非固着屈折膜片（１ｂ）へ、互いに異なる第１、２の全体画像（Ａ）（Ｂ）を形作るために各々分割された複数個の部分画像（５）（６）（１６）（１７）を、表側から施す一方、
同じく屈折地膜（１）における中骨（３）との固着屈折膜片（１ａ）並びに非固着屈折膜片（１ｂ）へ、やはり互いに異なる第３、４の全体画像（Ｃ）（Ｄ）を形作るために各々分割された複数個の部分画像（８）（９）（２３）（２４）を、逆な裏側から施したことを特徴とする請求項１記載の扇子。
【請求項３】
吸水紙（１２）の表面へ順次水溶性合成高分子の第１コーティング層（１３）、透視可能な撥水性合成高分子の第２コーティング層（１４）並びにやはり透視可能なインク受容性合成高分子の第３コーティング層（１５）が積層一体化された基材シート（１０）の第３コーティング層（１５）に対して、
その蛇腹状の屈折地膜（１）における中骨（３）との固着屈折膜片（１ａ）と対応する部位には、第１の全体画像（Ａ）を形作るために分割された複数個の部分画像（１６）を、同じく屈折地膜（１）における中骨（３）との非固着屈折膜片（１ｂ）と対応する部位には、上記第１の全体画像（Ａ）と異なる第２の全体画像（Ｂ）を形作るために分割された複数個の部分画像（１７）を、その何れも逆画像（１８ａ）として表側から施す一方、
粘着剤層（１９）の表面に透視可能な合成樹脂の第１離型フィルム（２０）と、同じく裏面に透視不能な第２離型紙（２１）とが貼り合わされた両面粘着シート（１１）の第２離型紙（２１）を剥離して、その残余の第１離型フィルム（２０）を上記基材シート（１０）の第３コーティング層（１５）へ、その表側から第１、２全体画像（Ａ）（Ｂ）の被覆状態に貼り合わせることにより、上記屈折地膜（１）と別個な転写装飾シール（Ｓ）として作成準備し、
その転写装飾シール（Ｓ）における上記両面粘着シート（１１）の第１離型フィルム（２０）も剥離して、その基材シート（１０）を上記屈折地膜（１）へ貼り付け転写した後、
その貼り付け転写した結果として上記基材シート（１０）の表側となる吸水紙（１２）の存在方向から水分を投与することにより、その吸水紙（１２）と上記第１コーティング層（１３）との２層を第２コーティング層（１４）との境界面から剥離して、
上記屈折地膜（１）の展開使用時に、その固着屈折膜片（１ａ）と対面する斜め方向（Ｒ）から上記第１の全体画像（Ａ）のみを正画像（１８ｂ）として、残余の非固着屈折膜片（１ｂ）と対面する斜め方向（Ｌ）から上記第２の全体画像（Ｂ）のみをやはり正画像（１８ｂ）として、上記第２、３コーティング層（１４）（１５）の２層を通じて各々透視させることを特徴とする扇子の製造法。
【発明の詳細な説明】
【０００１】
【発明の属する技術分野】
本発明は興趣変化に富む装飾効果を備えた扇子と、その製造法に関する。
【０００２】
【従来の技術】
古来から涼風を求めるために使われている扇子は、左右両端に配置された厚肉な一対の親骨と、その相互間に並列する薄肉・扁平な複数本の中骨とを、これらの基端部を集束する要軸によって枢着する一方、残る先端部を蛇腹状の屈折地膜によって連繋したものであり、上記要軸を回動支点として全体的に展開又は折りたたむことができるようになっている。
【０００３】
しかも、上記屈折地膜は紙や布、絹などから成り、展開使用時の装飾効果を発揮させるため、その表面には各種図柄や模様、文字、記号、色彩など（本明細書中、これらを画像と総称する。）が、印刷や染色などによって付与されている通例である。
【０００４】
【発明が解決しようとする課題】
ところが、このような古来からの扇子では、その親骨と中骨が竹材からの加工品であることとも相俟って、和装雰囲気の醸成や厳粛性などに富む反面、その展開使用時の装飾効果としては全体的な一種類の画像が表出するに過ぎないため、未だ単調であり、興趣変化に乏しい。
【０００５】
この点、特開昭６１−８００２号が提案されており、この公知発明では合成樹脂シート（６）の中骨打ち抜き部分に、予じめ分割された部分画像としての絵柄（５ａ）が印刷されている点で、本発明と或る程度まで近似すると言えるが、これでもその組合せ状態の中骨（２）から表出することになる全体画像（絵柄）（５）は、依然として一種類であり、これを一方向から通覧するに過ぎないため、やはり装飾効果の興趣変化を発揮させることができない。
【０００６】
それにもまして、この公知発明の扇子では親骨（１）と中骨（２）が、何れも約０．５ｍｍの厚みを有する硬質な塩化ビニールシートなどの合成樹脂シート（６）から成るばかりでなく、これらのつなぎ布（４）も極度に狭い帯幅として、先端部のみの縁取り円弧形態にあり、そのつなぎ布（４）には上記絵柄（５）が全然施されてもいないため、古来からの伝統的な扇子と大きく異なる印象を与え、広く普及させ難い問題がある。
【０００７】
【課題を解決するための手段】
本発明はこのような課題の抜本的な解決を企図しており、そのために役立つ扇子として、蛇腹状の屈折地膜における中骨との固着屈折膜片には、第１の全体画像を形作るために分割された複数個の部分画像を施す一方、
【０００８】
同じく屈折地膜における上記固着屈折膜片と交互する中骨との非固着屈折膜片には、上記第１の全体画像と異なる第２の全体画像を形作るために分割された複数個の部分画像を施して、
【０００９】
上記屈折地膜の展開使用時に、その固着屈折膜片と対面する斜め方向から第１の全体画像のみを、残余の非固着屈折膜片と対面する斜め方向から第２の全体画像のみを、各々区別して通覧できるように定めたことを特徴とし、
【００１０】
又、上記扇子の製造法として、吸水紙の表面へ順次水溶性合成高分子の第１コーティング層、透視可能な撥水性合成高分子の第２コーティング層並びにやはり透視可能なインク受容性合成高分子の第３コーティング層が積層一体化された基材シートの第３コーティング層に対して、
【００１１】
その蛇腹状の屈折地膜における中骨との固着屈折膜片と対応する部位には、第１の全体画像を形作るために分割された複数個の部分画像を、同じく屈折地膜における中骨との非固着屈折膜片と対応する部位には、上記第１の全体画像と異なる第２の全体画像を形作るために分割された複数個の部分画像を、その何れも逆画像として表側から施す一方、
【００１２】
粘着剤層の表面に透視可能な合成樹脂の第１離型フィルムと、同じく裏面に透視不能な第２離型紙とが貼り合わされた両面粘着シートの第２離型紙を剥離して、その残余の第１離型フィルムを上記基材シートの第３コーティング層へ、その表側から第１、２全体画像の被覆状態に貼り合わせることにより、上記屈折地膜と別個な転写装飾シールとして作成準備し、
【００１３】
その転写装飾シールにおける上記両面粘着シートの第１離型フィルムも剥離して、その基材シートを上記屈折地膜へ貼り付け転写した後、
【００１４】
その貼り付け転写した結果として上記基材シートの表側となる吸水紙の存在方向から水分を投与することにより、その吸水紙と上記第１コーティング層との２層を第２コーティング層との境界面から剥離して、
【００１５】
上記屈折地膜の展開使用時に、その固着屈折膜片と対面する斜め方向から上記第１の全体画像のみを正画像として、残余の非固着屈折膜片と対面する斜め方向から上記第２の全体画像のみをやはり正画像として、上記第２、３コーティング層の２層を通じて各々透視させることを特徴とするものである。
【００１６】
【発明の実施の形態】
以下、図面に基いて本発明を詳述すると、図１〜６はその扇子の第１実施形態を示しており、（１）は一定帯幅（Ｗ）の円弧輪郭形状を有する屈折地膜であって、複数枚の貼り合わされた紙から成り、これは扇子の骨組と対応合致し得る蛇腹状に折り曲げられる。
【００１７】
その扇子の骨組は、両端に配置された比較的厚肉な左右一対の親骨（２）と、その相互間に並列する薄肉・扁平な複数本の中骨（３）とから成り、その中骨（３）の先端部が悉く上記屈折地膜（１）を形作る複数個の屈折膜片（１ａ）（１ｂ）へ、交互に差し込み固着されている一方、両親骨（２）の先端部が同じく屈折地膜（１）の左右両端部へ、相反する表裏方向から固着されている。
【００１８】
つまり、上記屈折地膜（１）は中骨（３）との固着屈折膜片（１ａ）と、その中骨（３）の差し込み固着されない非固着屈折膜片（１ｂ）とを交互に具備する蛇腹状として、両親骨（２）と中骨（３）との先端部を全体的に連繋している。
【００１９】
そして、上記親骨（２）と中骨（３）との基端部には要軸（４）が貫通されており、その要軸（４）を回動支点として、扇子の全体を展開又は集束状態に折りたたむことができるようになっている。
【００２０】
ここまで説明した扇子の構成は公知であるが、本発明ではその屈折地膜（１）の表面に、図５、６のような交叉する２方向から区別して通覧できる異なる２種類の全体画像（Ａ）（Ｂ）が予じめプリントされている。
【００２１】
即ち、その２種類のうち、第１の全体画像（図例では桃の花弁）（Ａ）を形作るために分割された複数個の部分画像（５）が、上記蛇腹状の屈折地膜（１）における中骨（３）との固着屈折膜片（１ａ）にプリントされている。
【００２２】
他方、その第１の全体画像（Ａ）と異なる第２の全体画像（図例では朝顔の花弁）（Ｂ）を形作るために分割された複数個の部分画像（６）が、同じく屈折地膜（１）における中骨（３）との非固着屈折膜片（１ｂ）にプリントされており、その交互する配列状態にある。
【００２３】
このような第１、２全体画像（Ａ）（Ｂ）を形作る部分画像（５）（６）の分割や、その隣り合う屈折稜線（７）の間隔ピッチ（Ｐ）などは、上記中骨（３）の先端部を差し込み固着する前の展開状態（図３参照）にある屈折地膜（１）へ、好ましくはコンピユーターの画像処理により、その正確に交互する割り付け配列状態としてプリントすることができ、その図３のプリント状態から図４のような一定帯幅（Ｗ）の円弧輪郭形状にカットして、扇子の骨組と対応合致する蛇腹状に折り曲げれば良い。その互いに異なる第１、２全体画像（Ａ）（Ｂ）の組合せも、例えば花と鳥や山と川、男と女などの２種類として、自由自在に選定し得ることである。
【００２４】
上記の構成によれば、扇子を展開した使用時において、その屈折地膜（１）の固着屈折膜片（１ａ）と非固着屈折膜片（１ｂ）とが、図２のような任意の角度（θ）だけ交叉する関係になるため、その交互する一方の固着屈折膜片（１ａ）と対面する斜め方向（図例の右方向）（Ｒ）からは図５のように、上記複数個の部分画像（５）によって形作られる第１の全体画像（桃の花弁）（Ａ）のみを通覧することができ、又残る他方の非固着屈折膜片（１ｂ）と対面する斜め方向（図例の左方向）（Ｌ）からは図６のように、上記複数個の部分画像（６）によって形作られる別な第２の全体画像（朝顔の花弁）（Ｂ）のみを通覧することができるのであり、その異なる２種類の興趣変化に富む装飾効果を得られることとなる。
【００２５】
この点、図１〜６の第１実施形態では上記屈折地膜（１）の表面だけに、第１、２全体画像（Ａ）（Ｂ）の２種類をプリントしているが、図２と対応する図７の変形実施形態に示唆する如く、その屈折地膜（１）の裏面にも第１、２全体画像（Ａ）（Ｂ））と更に異なる第３、４全体画像（Ｃ）（Ｄ）の２種類を、上記した構成に準じてプリントすることにより、単一の扇子から合計４種類の全体画像（Ａ）（Ｂ）（Ｃ）（Ｄ）を表出させることもできる。（８）（９）はその第３、４全体画像（Ｃ）（Ｄ）を形作るために分割された複数個の部分画像である。
【００２６】
このような変形実施形態の構成によれば、その悉く異なる全体画像（Ａ）（Ｂ）（Ｃ）（Ｄ）の組合せ次第とも相俟って、単なる涼風を求める一般的な使い方のほか、特に演舞での表裏反転使用により、顧客へ独特の印象や一層の興趣変化などを与え得る効果もある。
【００２７】
又、上記第１実施形態の場合中骨（３）の先端部が、貼り合わせ状態の紙から成る屈折地膜（１）の内部へ差し込み固着された扇子を示したが、図２と対応する図８の別な変形実施形態から明白なように、上記屈折地膜（１）として中骨（３）の表面（片面）へ固着される１枚の絹や布などを採用すると共に、その屈折地膜（１）の表面へ上記第１実施形態の構成と同じく、例えばシルクスクリーン印刷などによって、第１、２全体画像（Ａ）（Ｂ）の異なる２種類をプリントすることもできる。
【００２８】
次に、図９〜２１は本発明に係る扇子の第２実施形態を示しており、これでは上記第１実施形態のような屈折地膜（１）の表面へ、第１、２全体画像（Ａ）（Ｂ）の２種類を直接プリントする代りに、その屈折地膜（１）へ別個な転写装飾シール（Ｓ）を貼り付け転写して、その転写装飾シール（Ｓ）から上記第１実施形態と同様な興趣変化に富む２種類の第１、２全体画像（Ａ）（Ｂ）を表出させるようになっている。
【００２９】
即ち、その扇子の屈折地膜（１）と別個な転写装飾シール（Ｓ）は、基材シート（１０）とこれに貼り合わされた両面粘着シート（１１）との２部品から成るものとして、予じめ作成準備されている。しかも、その基材シート（１０）は図１１のような吸取り紙などの水を吸収する吸水紙（１２）の表面へ、順次第１〜３コーティング層（１３）（１４）（１５）が積層一体化された合計４層をなしている。
【００３０】
茲に、吸水紙（１２）の表面へコーティングされた第１コーティング層（１３）は、ポリビニルアルコール（通称ポバール）やポリビニルピロリドンなどの水溶性を有する合成高分子から成り、約３μの厚みを備えている。因みに、上記吸水紙（１２）の厚みは約０．５ｍｍであり、第１〜３コーティング層（１３）（１４）（１５）の担体として機能する。
【００３１】
又、第２コーティング層（１４）はアクリル樹脂やその他の撥水性を有する透明又は半透明の合成高分子から成り、約５μの厚みとして、上記第１コーティング層（１３）の表面にコーティングされている。
【００３２】
その場合、第２コーティング層（１４）に上記第１コーティング層（１３）との言わば逆な撥水性を要求する理由は、転写装飾シール（Ｓ）を扇子の屈折地膜（１）へ貼り付け転写使用する時に、上記吸水紙（１２）の存在する方向（表側）から投与される水分を撥ねることにより、第１、２コーティング層（１３）（１４）の境界面を確実な剥離界面として機能させ、その第２コーティング層（１４）から上記第１コーティング層（１３）と吸水紙（１２）との２層を容易・円滑に剥離できるようにするためである。
【００３３】
更に、第３コーティング層（１５）はポリビニルアルコールやポリビニルピロリドン、ポリアクリルアミド、アクリル酸エステルの共重合体、エチレン−酢ビ共重合体、その他のインクを吸収・定着できるインク受容性に富む透明又は半透明の合成高分子から成り、約７μの厚みとして、上記第２コーティング層（１４）の表面にコーティングされている。
【００３４】
そして、上記第１実施形態と同様な第１、２全体画像（Ａ）（Ｂ）の２種類が図１２、１３に示す如く、その基材シート（１０）を形作る第３コーティング層（１５）の表面にプリントされているのである。
【００３５】
つまり、転写装飾シール（Ｓ）の基材シート（１０）が扇子の上記屈折地膜（１）における中骨（３）との固着屈折膜片（１ａ）と対応する部位には、第１の全体画像（図例では桃の花弁）（Ａ）を形作るために分割された複数個の部分画像（１６）を、その第３コーティング層（１５）の表側からプリントする一方、同じく基材シート（１０）が扇子の屈折地膜（１）における中骨（３）との非固着屈折膜片（１ｂ）と対応する部位には、上記第１の全体画像（Ａ）と異なる第２の全体画像（図例では朝顔の花弁）（Ｂ）を形作るために分割された複数個の部分画像（１７）を、やはり第３コーティング層（１５）の表側からプリントするわけである。
【００３６】
上記転写装飾シール（Ｓ）の基材シート（１０）は図１１のような合計４層に積層一体化されて、各種プリンターや印刷機、複写機などによる自動的な搬送特性を備えており、しかもその第３コーティング層（１５）がインク受容性を有するため、上記基材シート（１０）における第３コーティング層（１５）の表面へ、各種版式の印刷機やインクジェットプリンター、レーザープリンター、熱転写プリンター、静電複写機などを用いて、上記第１、２全体画像（Ａ）（Ｂ）を機械的にプリントすることができ、更にはフエルトペンやサインペン、マーカーなどと通称される水性又は油性の筆記具を用いて、手書きすることも可能である。
【００３７】
何れにしても、第１、２全体画像（Ａ）（Ｂ）を形作る部分画像（１６）（１７）は上記基材シート（１０）の第３コーティング層（１５）へ、図１３のような左右の反転する逆画像（１８ａ）としてプリント又は手書きされ、これを具備する転写装飾シール（Ｓ）が、追って扇子の屈折地膜（１）へ貼り付け転写使用された時、その逆画像（１８ａ）を正画像（１８ｂ）として、表側から透視できるようになっている。このことは、逆画像（１８ａ）と正画像（１８ｂ）との区別を必要とする文字や図形、記号などから成る第１、２全体画像（Ａ）（Ｂ）について、特に意味がある。
【００３８】
上記基材シート（１０）を形作る第２、３コーティング層（１４）（１５）の２層は、上記厚みの数値から例示されるように、吸水紙（１２）と第１コーティング層（１３）との２層よりもかなり薄く、しかも透明又は半透明をなすため、転写装飾シール（Ｓ）を扇子の屈折地膜（１）へ貼り付け転写使用した時に、その第２、３コーティング層（１４）（１５）の２層が上記第１、２全体画像（Ａ）（Ｂ）を表側から保護するマスキングシートとして機能し、その全体画像（Ａ）（Ｂ）を表側から透視できる状態に維持することとなる。
【００３９】
他方、上記基材シート（１０）との対をなす転写装飾シール（Ｓ）の両面粘着シート（１１）は、その基材シート（１０）と同じ大きさ・形状を備え、図１４から明白なように、その粘着剤層（１９）の表面には透明又は半透明の合成樹脂から成る第１離型フィルム（２０）が、同じく粘着剤層（１９）の裏面には透視不能な第２離型紙（２１）が各々貼り合わせ一体化されている。
【００４０】
上記粘着剤層（１９）の厚みは約１０μ、第１離型フィルム（２０）の厚みは約３８μ、第２剥離紙（２１）の厚みは約０．５ｍｍであり、その第２剥離紙（２１）には色彩が施されることによって、上記第１離型フィルム（２０）との識別（両面粘着シートの表裏識別）を行なえるようになっている。
【００４１】
そして、上記両面粘着シート（１１）が図１５のように、その第２離型紙（２１）の剥離により露出した粘着剤層（１９）を介して、上記基材シート（１０）の第３コーティング層（１５）へ貼り合わされることにより、図１６、１７のような転写装飾シール（Ｓ）として完成されるのである。その転写装飾シール（Ｓ）の製品としては、一定帯幅（Ｗ）の円弧輪郭形状にカットされており、しかも上記基材シート（１０）の第１、２全体画像（Ａ）（Ｂ）が、両面粘着シート（１１）に残存している透明又は半透明の第１離型フィルム（２０）によって、被覆された状態を保っている。
【００４２】
このような転写装飾シール（Ｓ）を用いて、第２実施形態の扇子を製造するに当っては、図１８のように既製された屈折地膜（１）が言わば白紙状態の扇子を用意して、その転写装飾シール（Ｓ）における両面粘着シート（１１）の第１離型フィルム（２０）を剥離し、その露出した粘着剤層（１９）により基材シート（１０）を図１９のように、上記扇子の屈折地膜（１）へ貼り付け転写する。
【００４３】
その際、転写装飾シール（Ｓ）の基材シート（１０）を扇子の屈折地膜（１）と対応合致する蛇腹状に折り曲げて、その中骨（３）との固着屈折膜片（１ａ）並びにこれと交互する中骨（３）との非固着屈折膜片（１ｂ）へ、その表側から正確に整然と貼り付け転写することは言うまでもない。
【００４４】
殊更、両面粘着シート（１１）の第１離型フィルム（２０）にほぼ左右２等分する位置決め線（２２）を切り込み加工しておき、これを屈折地膜（１）の対応する屈折稜線（７）と合致させた上、その第１離型フィルム（２０）の左右何れか約半分を屈折地膜（１）へ貼り付け転写し、引き続き残りの約半分を同様に貼り付け転写することが好ましい。その作業をすばやく正確に行なえるからである。
【００４５】
上記扇子の屈折地膜（１）へ貼り付け転写した結果として、基材シート（１０）の表側となる上記吸水紙（１２）の存在方向から引き続き所要量の水分を投与する。その投与はティッシュペーパーやスポンジなどに少量の水分を含ませて、これにより上記基材シート（１０）の吸水紙（１２）が存在する方向（表側）から湿らせる程度で足りる。
【００４６】
そうすれば、図１９と図２０との比較から明白なように、上記転写装飾シール（Ｓ）の基材シート（１０）における吸水紙（１２）と第１コーティング層（１３）との２層が、水分を吸収して柔軟化する一方、同じく基材シート（１０）の第２コーティング層（１４）は撥水性を有するため、これによって水分が撥ねられ、その第２コーティング層（１４）と第１コーティング層（１３）との境界面が剥離界面になって、ここから第１コーティング層（１３）と吸水紙（１２）との２層を滑る如く、確実に剥離することができる。
【００４７】
その扇子の屈折地膜（１）に対する転写装飾シール（Ｓ）の最終的な貼り付け転写状態は、図９、１０に示す通りであって、上記基材シート（１０）の第２、３コーティング層（１４）（１５）が何れも透明又は半透明をなすため、その第３コーティング層（１５）に逆画像（１８ａ）としてプリント又は手書きされた第１、２全体画像（Ａ）（Ｂ）の２種類を、何れも表側から正画像（１８ｂ）のそれらとして透視することができる。
【００４８】
このような第２実施形態の扇子にあっても、その屈折地膜（１）の展開使用時には上記第１実施形態の図５、６と同じく、中骨（３）との固着屈折膜片（１ａ）に施された複数個の部分画像（１６）から成る第１の全体画像（Ａ）のみを、これと対面する斜め方向（Ｒ）から通覧することができ、他方中骨（３）との非固着屈折膜片（１ｂ）に施された複数個の部分画像（１７）から成る別な第２の全体画像（Ｂ）のみを、これと対面する斜め方向（Ｌ）から通覧できることは言うまでもない。
【００４９】
上記第２実施形態の扇子では、転写装飾シール（Ｓ）の極めて薄肉な且つ透明又は半透明の第２、３コーティング層（１４）（１５）が、その屈折地膜（１）の表面へ付属するにとどまり、上記転写装飾シール（Ｓ）の貼り付け転写状態を看者の肉眼によって判別することは到底不可能である。
【００５０】
その意味から、上記転写装飾シール（Ｓ）はこれを図１７と対応する図２１に示唆する如く、第１、２全体画像（Ａ）（Ｂ）をプリント又は手書きできる必要最小限度の大きさにカットした円弧輪郭形状として、扇子の屈折地膜（１）へ局部的に貼り付け転写しても良く、何れにしても上記屈折地膜（１）へ直接第１、２全体画像（Ａ）（Ｂ）をプリントした第１実施形態の扇子と同じ興趣変化に富む装飾効果を発揮させることができる。
【００５１】
又、上記正画像（１８ｂ）の第１、２全体画像（Ａ）（Ｂ）は上記第２、３コーティング層（１４）（１５）の２層をマスキングシートとして、常時表側から被覆された保護状態に維持される結果、扇子の使用中に油水や摺擦力などを受けるも、その第１、２全体画像（Ａ）（Ｂ）が決して消失したり、形崩れしたりするおそれはなく、耐用性の向上にも役立つ。
【００５２】
尚、図９〜２１の第２実施形態におけるその他の構成は上記第１実施形態と実質的に同一であるため、その図９〜２１に図１〜６との対応符号を記入するにとどめて、その詳細な説明を省略するが、その第２実施形態の扇子にあっても上記製造工程に従って、その転写装飾シール（Ｓ）を図２２の変形実施形態に示唆する如く、扇子における屈折地膜（１）の表面のみならず、裏面にも貼り付け転写して、第１〜４全体画像（Ａ）（Ｂ）（Ｃ）（Ｄ）の合計４種類を表出させることができる。（２３）（２４）はその第３、４全体画像（Ｃ）（Ｄ）を形作るために分割された複数個の部分画像である。
【００５３】
【発明の効果】
以上のように、本発明の扇子では蛇腹状の屈折地膜（１）における中骨（３）との固着屈折膜片（１ａ）には、第１の全体画像（Ａ）を形作るために分割された複数個の部分画像（５）（１６）を施す一方、
【００５４】
同じく屈折地膜（１）における上記固着屈折膜片（１ａ）と交互する中骨（３）との非固着屈折膜片（１ｂ）には、上記第１の全体画像（Ａ）と異なる第２の全体画像（Ｂ）を形作るために分割された複数個の部分画像（６）（１７）を施して、
【００５５】
上記屈折地膜（１）の展開使用時に、その固着屈折膜片（１ａ）と対面する斜め方向（Ｒ）から第１の全体画像（Ａ）のみを、残余の非固着屈折膜片（１ｂ）と対面する斜め方向（Ｌ）から第２の全体画像（Ｂ）のみを、各々区別して通覧できるように定めてあるため、冒頭に述べた従来技術の課題を完全に解決することができ、装飾上の興趣変化に富む斬新な扇子を得られる効果があり、この効果は請求項２の構成を採用することによって、ますます向上する。
【００５６】
又、上記扇子の製造法として請求項３の構成を採用するならば、別個な転写装飾シール（Ｓ）を扇子の屈折地膜（１）へ、簡便にすばやく貼り付け転写することができ、しかもその貼り付け転写によって扇子の屈折地膜（１）から、やはり異なる２種類の興趣変化に富む装飾効果を表出させ得るのである。
【００５７】
特に、その第１、２全体画像（Ａ）（Ｂ）は転写装飾シール（Ｓ）を形作る基材シート（１０）の透視可能な第２、３コーティング層（１４）（１５）によって、被覆状態に保護されるため、その扇子の使用中における形崩れや消失などを生ずるおそれがなく、上記装飾効果を何時までも維持することができ、耐用性にも優れる。
【図面の簡単な説明】
【図１】本発明に係る扇子の第１実施形態を示す正面図である。
【図２】図１の２−２線に沿う拡大断面図である。
【図３】部分画像のプリント状態を示す正面図である。
【図４】図３から円弧輪郭形状にカットした屈折地膜を示す正面図である。
【図５】図２の斜め方向から通覧した第１の全体画像を示す斜面図である。
【図６】図２の異なる斜め方向から通覧した第２の全体画像を示す斜面図である。
【図７】第１実施形態の図２に対応する変形実施形態を示す断面図である。
【図８】同じく図２に対応する別な変形実施形態を示す断面図である。
【図９】本発明に係る扇子の第２実施形態を示す正面図である。
【図１０】図９の１０−１０線に沿う拡大断面図である。
【図１１】転写装飾シールの基材シートを抽出して示す断面図である。
【図１２】基材シートに対する部分画像のプリント状態を示す断面図である。
【図１３】図１２の正面図である。
【図１４】転写装飾シールの両面粘着シートを抽出して示す断面図である。
【図１５】両面粘着シートを基材シートに貼り付ける過程を示す断面図である。
【図１６】転写装飾シールとしての完成品を示す断面図である。
【図１７】その転写装飾シールの正面図である。
【図１８】転写装飾シールの貼り付け転写対象となる扇子を示す正面図である。
【図１９】扇子の屈折地膜に転写装飾シールを貼り付け転写した状態を示す断面図である。
【図２０】図１９から第１離型フィルムを剥離した状態を示す断面図である。
【図２１】必要最小限度の大きさにカットした小型の転写装飾シールを示す正面図である。
【図２２】第２実施形態の図１０に対応する変形実施形態を示す断面図である。
【符号の説明】
（１）・屈折地膜
（１ａ）・固着屈折膜片
（１ｂ）・非固着屈折膜片
（２）・親骨
（３）・中骨
（４）・要軸
（５）（６）（８）（９）（１６）（１７）（２３）（２４）・部分画像
（７）・屈曲稜線
（１０）・基材シート
（１１）・両面粘着シート
（１２）・吸水紙
（１３）・第１コーティング層
（１４）・第２コーティング層
（１５）・第３コーティング層
（１８ａ）・逆画像
（１８ｂ）・正画像
（１９）・粘着剤層
（２０）・第１離型フィルム
（２１）・第２離型紙
（Ａ）（Ｂ）（Ｃ）（Ｄ）・第１〜４全体画像
（Ｓ）・転写装飾シール
（Ｐ）・屈折間隔ピッチ
（Ｒ）・斜め方向
（Ｌ）・斜め方向
（Ｗ）・帯幅
（θ）・交叉角度
【図１】
2004097403.tif 000003
【図２】
2004097403.tif 000004
【図３】
2004097403.tif 000005
【図４】
2004097403.tif 000006
【図５】
2004097403.tif 000007
【図６】
2004097403.tif 000008
【図７】
2004097403.tif 000009
【図８】
2004097403.tif 000010
【図９】
2004097403.tif 000011
【図１０】
2004097403.tif 000012
【図１１】
2004097403.tif 000013
【図１２】
2004097403.tif 000014
【図１３】
2004097403.tif 000015
【図１４】
2004097403.tif 000016
【図１５】
2004097403.tif 000017
【図１６】
2004097403.tif 000018
【図１７】
2004097403.tif 000019
【図１８】
2004097403.tif 000020
【図１９】
2004097403.tif 000021
【図２０】
2004097403.tif 000022
【図２１】
2004097403.tif 000023
【図２２】
2004097403.tif 000024